(57)【特許請求の範囲】
【請求項１】
下部ベース４ａと直立部４ｂと上部係合部４ｃとが一体的に形成された長尺状の第１の板材４と、下部ベース６ａと直立部６ｂと上部係合部６ｃとが一体的に形成された長尺状の第２の板材６とを備え、前記第１の板材４と第２の板材６の中の少なくとも一方の板材に切り欠き１２を設け、他方の板材に前記切り欠き１２に脱着自在に挿入可能な係合爪１０を設け、該係合爪１０を対応する前記切り欠き１２に挿入して前記第１の板材４と第２の板材６を結合可能とし、前記第１の板材４と第２の板材６のそれぞれに略コ字状に切断線を設け、該切断線によって、前記第１の板材４と第２の板材６のそれぞれに略コ字状の切り欠き８，１２と係合爪１０，１４を形成し、前記第１と第２の板材４，６の中のいずれか一方の係合爪１０を、他方の板材６の切り欠き１２に挿入し前記第１の板材４と第２の板材６を結合可能としたことを特徴とする合体吊子。
【発明の詳細な説明】
【技術分野】
【０００１】
本発明は、屋根や外壁などに用いられる外囲板を下地材上に支持するための吊子に関する。
【背景技術】
【０００２】
従来、屋根や外壁などに用いられる外囲板を下地材上に支持するための吊子が知られている（例えば特許文献１参照）。
【特許文献１】特許第３５７４９８０号公報
【発明の開示】
【発明が解決しようとする課題】
【０００３】
従来、吊子は、短尺型と長尺型があり、長尺型は、外囲板を下地材上にしっかりと支持することができ、短尺型に比し強度的に優れている。しかしながら、強度がある反面、重量が大きくなってしまい、運搬や取り付け作業が容易でなかった。
本発明は上記問題点を解決することを目的とするものである。
【課題を解決するための手段】
【０００４】
上記目的を達成するため本発明は、下部ベース４ａと直立部４ｂと上部係合部４ｃとが一体的に形成された長尺状の第１の板材４と、下部ベース６ａと直立部６ｂと上部係合部６ｃとが一体的に形成された長尺状の第２の板材６とを備え、前記第１の板材４と第２の板材６の中の少なくとも一方の板材に切り欠き１２を設け、他方の板材に前記切り欠き１２に脱着自在に挿入可能な係合爪１０を設け、該係合爪１０を対応する前記切り欠き１２に挿入して前記第１の板材４と第２の板材６を結合可能としたものである。
また本発明は、前記第１の板材４と第２の板材６のそれぞれに略コ字状に切断線を設け、該切断線によって、前記第１の板材４と第２の板材６のそれぞれに略コ字状の切り欠き８，１２と係合爪１０，１４を形成し、前記第１と第２の板材４，６の中のいずれか一方の係合爪１０を、他方の板材６の切り欠き１２に挿入し前記第１の板材４と第２の板材６を結合可能としたこものである。
【発明の効果】
【０００５】
本発明は係合爪を切り欠きに挿入するだけで２枚の板材を合体結合し単一の長尺型吊子を形成できるので、ビスなどの結合具を用いることなく簡単に２枚の板材を結合できるとともに、強度の高い吊子を得ることができる。また、分離した板材は重量が軽いため扱いやすく、運搬や取り付け作業を容易に行うことができきわめて便利である。
【発明を実施するための最良の形態】
【０００６】
以下に、本発明の実施の形態を添付した図面を参照して詳細に説明する。
図１において、２は、屋根金属板などの外囲板を下地材上に支持するための長尺型の合体型の吊子であり、２枚の長尺状の板材４，６を脱着自在に重ね合わせた構成となっている。２枚の板材４，６は、互いに同一構造となっている。
【０００７】
２枚の板材４，６は、それぞれ、下部ベース４ａ，６ａと立ち上がり部４ｂ，６ｂと、屈折係合部４ｃ，６ｃを備えている。一方の板材４の直立部４ｂには、その長手方向に沿って所定の間隔を存して、複数カ所に略コ字状の輪郭の切断線が設けられ、該切断線によって、略コ字状の切り欠き８と、これと同形の係合爪１０が形成されている。
【０００８】
他方の板材６の直立部６ｂにも、同様に、その長手方向に沿って所定の間隔を存して、複数箇所に略コ字状の輪郭の切断線が設けられ、該切断線により、略コ字状の切り欠き１２とこれと同形の係合爪１４が形成されている。板材４と６を結合するには、板材４と６を対向させ、一方の板材４の係合爪１０の先端部分を、他方の板材６の対応する切り欠き１２に挿入する。
【０００９】
次に、係合爪爪１０が、板材６の外壁面に広く密着する方向に、板材４，６を長手方向に沿ってずらすと、板材４，６は、係合爪１０と切り欠き１２とが密着した状態で噛み合い、図３に示すように、互いに結合合体し、単一の吊子を構成する。
【００１０】
前記板材４，６は、係合爪１０と切り欠き１２との噛み合いが外れる方向に、板材４，６の長手方向に沿って、前記結合方向とは逆方向にずらすことによって、その噛み合い結合を簡単に解除することができる。
【００１１】
図４において、符号１６は建物の梁上に固設された下地材であり、木材、あるいは、コンクリートあるいはデッキプレート、あるいは断熱ボード等により構成されている。前記合体吊り子２は、複数、外囲板１８どうしの所定の接合部に位置するように、下地材１６上に用意され、各下部ベース４ａ，６ａが、ルーフィングの上から下地材１６にビスなどの止着具により固定されている。
【００１２】
吊子２と他の吊子（図示省略）との間には、断熱・防音材２０が配置される。
外囲板１８は、長尺状の鉄や鋼板等の金属板からなり、複数の外囲板１８を下地材２上の断熱・防音材２０の上に並列状に配置し、互いに隣接する一対の外囲板１８，１８の中の、一方の外囲板１８の筒状部２２を、吊り子２の係合部４ｃ，６ｃに押し込んで嵌合する。
【００１３】
次に、隣接する一対の外囲板１８，１８の中、他方の外囲板１８の筒状部２４を、一方の外囲板１８の筒状部２２の上から、吊り子２の係合部４ｃ，６ｃにに押し込んで嵌合する。これにより、、隣接する一対の外囲板１８，１８は、吊り子２の係合部４ｃ，６ｃを介して、互いに結合される。
【００１４】
尚、本実施形態では、第１の板材４と第２の板材６のそれぞれに略コ字状に切り欠き線を設け、該切り欠き線によって、第１の板材４と第２の板材６のそれぞれに略コ字状の切り欠き８，１２と係合爪１０，１４を形成し、第１と第２の板材４，６の中のいずれか一方の係合爪１０を、他方の板材６の切り欠き１２に挿入し第１の板材４と第２の板材６を結合可能としたが、２枚の板材４，６の構造を互いに向き合った状態では対称となるように構成し、第１の板材４の係合爪を第２の板材６の切り欠きに挿入し、第２の板材６の係合爪を第１の板材４の切り欠きに相互に挿入して第１の板材４と第２の板材６を結合可能としても良い。
【図面の簡単な説明】
【００１５】
【図１】本発明の外観説明図である。
【図２】本発明の説明図である。
【図３】本発明の説明図である。
【図４】本発明の説明図である。
【符号の説明】
【００１６】
２      吊子
４      板材
４ａ    下部ベース
４ｂ    立ち上がり部
４ｃ    屈折係合部
６      板材
８      切り欠き
１０    係合爪
１２    切り欠き
１４    係合爪
１６    下地材
１８    外囲板
２０    断熱・防音材
２２    筒状部
２４    筒状部
【図１】
0004839071.tif 000002
【図２】
0004839071.tif 000003
【図３】
0004839071.tif 000004
【図４】
0004839071.tif 000005